(57)【要約】【課題】首に巻いて保温及び首から離れない枕にして、酸素吸収増と、後頭部のじょくそう対策も可能にする用具を提供する。【解決手段】首回り用具１は、襟巻き、又は枕の使用目的によって、挿入口Ｋ、Ｋ′からクッション材２、３の複数枚を１部に、又は平均的な厚さ高さに自由に挿入して、使用中は、挿入口Ｋ、Ｋ′を内側４にして、常時、挿入口が自然に閉じられた状態にする。【選択図】図３
2010012197.tif 000002
【特許請求の範囲】
【請求項１】
人体の首回りに装着する脱着可能な筒状の布で、首回りを温ためる襟巻きになり、就寝の際は首回りを温ためながら枕に兼用出来ることを特徴とする首回り用具。
【請求項２】
請求項１の筒状の首回り用具の内側に、複数のクッション材用の挿入口を作り、その挿入口よりクッション材を、襟巻き又は枕の使用目的によって、複数枚を１部に、又は平均的な厚さ高さに自由に挿入して、使用中は挿入口を内側にすることにより、常時、挿入口が自然に閉じられた状態になることを特徴とする首回り用具。
【請求項３】
請求項１の首回り用具の装着方法は、筒状の一方の端部に、斜めに一定の長さの切り口を作り、他方の端部に縦に一定の長さの切り口を作り、首回りに緩く装着したい場合は、斜めの切り口に他方の端部を差し通して、首前方にＶ字型にし、首回りに密着するよう装着したい場合は、縦の切り口に他方の端部を差し通して、装着することを特徴とする首回り用具。
【請求項４】
請求項３の切り口は、端部より差し通した用具の切り口に位置したクッション材を、縮小させて滑り止めの役割をして、結んだり、留め具を必要としないことを特徴とする首回り用具。
【請求項５】
請求項１の首回り用具であって、じょくそう対策の枕として使用する際、仰向けに寝た時の床に対する肩と頭のアーチ状の隙間を、挿入口よりクッション材の枚数を多くした状態での挿入によって埋め、後頭部を持上げて、後頭部が床部から受けていた圧の１部を、首の底部が負担することを特徴とする首回り用具。
【発明の詳細な説明】
【技術分野】
【０００１】  本発明は首回りの保温及び枕に関するものである。
【背景技術】
【０００２】  首筋を保温するマフラー等の用具は多種多様、枕に関しては悩みを解決すると雑誌等に各種各様掲載され、使用者側も各自各様の目的で絶対的なものは無い。【０００３】  首に巻く用具は治療関係を除き、首回りを緩まないようにするため、首に巻くか、結ぶか、留め具を使用方法で手間が掛る。【０００４】  低い枕を使用すると、高い枕より酸素の吸収量が増える事は、誰でも経験上知るところであり、年間の吸収量増は体の健康に寄与すると考えられるが、低い枕の使用をすすめる記事は見掛けない。
【発明が解決しようとする課題】
【０００５】  首回りが冷たく、又は寒く感じる人に、保温となる首回り用具を提供することである。
【０００６】  首回りに巻いて首を温ためる襟巻き用具は、マフラー等の如く長いのが普通であるが、形状が短かく、寒さによって厚さが変えられ、結ぶ、又は留め具使用が無くても、首を締める度合を変えながら、首から離れにくい首回り用具を提供することである。
【０００７】  枕になり、睡眠中、体内への酸素吸収増の希望の意志を持つ人に役立つ、首回り用具を提供することである。
【０００８】  寝相が悪く目覚めた際、枕が離れた状態になる人に、首から離れなく、厚さ高さが自由になり、枕として使用出来る首回り用具を提供することである。
【０００９】  介護の業界で、仰向け就寝中の後頭部を床部より多少でも持上げ、後頭部の床部からの圧と摩擦を和らげて、じょくそうの発生、進行を遅らせることを目的とした首回り用具を提供することである。
【課題を解決するための手段】
【００１０】  寒さ対策として、人体の首回りに装着する脱着可能な筒状の布で、首回りを温ためる襟巻きになり、就寝の際は首回りを温ためながら枕に兼用出来ることを特徴とする。
【００１１】  筒状の首回り用具の用具の内側に、複数のクッション材用の挿入口を作り、その挿入口よりクッション材を、襟巻き又は枕の使用目的によって、複数枚を１部に、又は平均的な厚さ高さに自由に挿入して、使用中は挿入口を内側にすることにより、常時、挿入口が自然に閉じられた状態になることを特徴とする。
【００１２】  マフラーのように首に回して結んだり、留め具を必要としない装着方法として、筒状の一方の端部に、斜めに一定の長さの切り口を作り、他方の端部に縦に一定の長さの切り口を作り、首回りに緩く装着したい場合は、斜めの切り口に他方の端部を差し通して、首前方にＶ字型にし、首回りに密着するよう装着したい場合は、縦の切り口に他方の端部を差し通して装着することを特徴とする。
【００１３】  寝相が悪く目覚めた際、枕が離れた状態になる人に、離れなく、厚さ高さが自由になる枕を特徴とする。
【００１４】  じょくそう対策の枕として使用する際、仰向けに寝た時の床に対する肩と頭のアーチ状の隙間を、挿入口よりクッション材の枚数を多くした状態での挿入によって埋め、後頭部を持上げて、後頭部が床部から受けていた圧の一部を、首の底部が負担し、介護の業界での後頭部のじょくそう発生、進行を遅らせることを特徴とする。
【発明の効果】
【００１５】  本発明は、人体の首回りに装着する長方形の筒状の布材と、筒状の内側の挿入口より、内部にクッション材を複数枚、目的に合わせて挿入した簡素な構成で、多数の人の健康に多目的に貢献する用具である。
【００１６】  ００１５の多目的の一つで、本発明の装着方法は、筒状の一方の端部に斜めに一定の長さの切り口を作り、他方の端部に縦の一定の長さの切り口を作り、首回りに緩く装着したい場合は、斜めの切り口に他方の端部を差し通して、首前方をＶ字型にし、首回りに密着するよう装着したい場合は、縦の切り口に他方の端部を差し通して装着し、マフラー等のように結んだり、留め具を必要としない。
【００１７】  ００１５の多目的の一つで、襟巻きに使用する場合、挿入口より平均的な厚さになるようクッション材を挿入して使用する。
【００１８】  ００１５の多目的の一つで、就寝中、寝相の悪い人で、目覚めた時の枕離れを防ぐため、首から離れない枕として使用する。
【００１９】  ００１５の多目的の一つで、睡眠中、体内への酸素吸収量の増加を希望する人に、低い枕として首回り用具をすすめる。仰向けに寝た際、低い枕は高い枕より酸素吸収量が増える事は、誰でも経験上、知るところであり、毎日の量は僅かでも年間量は、本人の健康に寄与する。
【００２０】  ００１５の多目的の一つで、介護業界での後頭部のじょくそう対策に枕として使用する場合、仰向けに寝た際、床に対する肩と頭のアーチ状の隙間を、用具の挿入口よりクッション材の挿入によって埋めて首を持上げ、後頭の底部が床から受けていた圧と摩擦を和らげて、じょくそうの発生及び進行を遅らせる。
【発明を実施するための最良の形態】
【００２１】  以下、添付図面に基づいて本発明の実施例を説明する。【００２２】  図１は首回り用具１の布材Ａの展開図で、標準サイズ縦横２２×７５０ｍｍである。布材Ａは裁断しても、ほぐれない性状の合成布を使用し、製縫前にクッション材２、３の挿入口Ｋ、Ｋ′長さ６０ｍｍを中心線Ｊから挿入口Ｋ間と中心線Ｊから挿入口Ｋ′間をそれぞれ１７５ｍｍとして作り、両端のどちらかを差し通すための切り口Ｌ、Ｌ′をＦＧ間に、Ｍ、Ｍ′をＦ′Ｇ′間長さ６０ｍｍを作る。切り口ＫをＧＨ間に、切り口Ｋ′をＧ′Ｈ′間に変更も自由である。【００２３】  図２は布材Ａの中心線Ｄで二つ折し、縫い目Ｅ、Ｅ′を重ねて縫い合わせて筒状にし、それを裏返しすると長辺Ｂ、Ｂ′は内部に収納された状態になる。その状態の筒状の布にＣＦ間、Ｃ′Ｆ′間を１０ｍｍ、ＦＧ間、ＧＨ間、Ｆ′Ｇ′間Ｇ′Ｈ′を４５ｍｍにして縫い目Ｆ、Ｇ、Ｈ、Ｆ′、Ｇ′、Ｈ′を縦に縫うと首回り用具１となる。この際、切り口ＬとＬ′、ＭとＭ′は合致する。【００２４】  図３は、図２の中間線Ｎの断面図で、標準サイズ布材Ａに合わせてクッション材２、縦横高さ６５×７５×１０ｍｍとクッション材３、６５×１５０×１０ｍｍにして使用し、挿入口Ｋ、Ｋ′よりクッション材２、３を平面になるよう挿入し、主に首回りを温ためる目的で使用し、差し通すための切り口ＭＭ′に、短辺端部Ｃの方から差し通して、首前方にＶ字型にした状態が図４である。【００２５】  首回りに密着するよう装着したい場合は、差し通すための切り口ＬＬ′に短辺端部Ｃ′の方から差し通して首回りに密着させる。【００２６】  図５は首回り用具１を枕として使用する場合のクッション材２、３の挿入した状態の中間線Ｎの断面図で、クッション材２、３の枚数は、使用者の好みによって変えられ、図６は仰向けに寝た使用状態を示し、横向きになった場合も想定して、クッション材２、３の位置、厚さ高さは使用者の好みに変更出来る。【００２７】  後頭部５のじょくそう対策として、クッション材２、３の厚さを高くして後頭部５が床７から受けていた圧の一部を首の底部６が負担して、じょくそう発生、進行を遅らせることに役立つ。【００２８】  クッション材２、３に代用するものとして、布等を折り重ねて適当な厚みにしたものを、クッションとして使用することが出来る。【００２９】  首回り用具１のクッション挿入口Ｋ、Ｋ′を内側４にして使用すると、常時、挿入口Ｋ、Ｋ′は閉じた状態になる。
【図面の簡単な説明】
【００３０】
【図１】首回り用具に使用する布材の展開図である。
【図２】首回り用具の一方の面を示す図である。
【図３】首回り用具を保温用に使用するため、クッション材を平均的な厚さに挿入した状態の中間線の断面図である。
【図４】首回り用具を首に装着した状態を説明するための図である。
【図５】首回り用具を枕に使用するため、クッション材を内部に積み重ねた状態の中間線の断面図である。
【図６】首回り用具を枕に使用した状態を説明するための図である。
【符号の説明】
【００３１】  Ａ        布材
Ｂ、Ｂ′  布材の長辺端部
Ｃ、Ｃ′  布材の短辺端部
Ｄ        長辺の中心線
Ｅ、Ｅ′  長辺の縫い目
Ｆ、Ｆ′  短辺の縫い目
Ｇ、Ｇ′  短辺の縫い目
Ｈ、Ｈ′  短辺の縫い目
Ｉ、Ｉ′  挿入口の位置を示すための点線
Ｊ        縦の中心線
Ｋ、Ｋ′  クッション材を挿入するための挿入口
Ｌ、Ｌ′  短辺端部Ｃ′を差し通すための切り口
Ｍ、Ｍ′  短辺端部Ｃを差し通すための切り口
Ｎ        首回り用具の中間線
１        首回り用具
２        クッション材小
３        クッション材大
４        内側
５        後頭部
６        首の底部
７        床
【図１】
2010012197.tif 000003
【図２】
2010012197.tif 000004
【図３】
2010012197.tif 000005
【図４】
2010012197.tif 000006
【図５】
2010012197.tif 000007
【図６】
2010012197.tif 000008